(57)【要約】【課題】乗場ドアの乗場側に多大のスペースを必要とせず、しかもエレベーター装置の据付けと防火シャッター装置の据付けとの切り分けを可能としたエレベーター装置を提供することにある。【解決手段】本発明は、乗降口５を区画する三方枠１２（１３，１４，１３Ａ，１４Ａ）に、シャッター３１の幅方向両側を上下方向に案内する案内手段３５を着脱可能に取付けたのである。【選択図】　図３
2004083157.tif 000002
【特許請求の範囲】
【請求項１】
昇降路と乗場間を連通し上枠及び両縦枠からなる三方枠によって区画された乗降口と、この乗降口を火災時に塞ぐシャッターを有する防火シャッター装置とを備えたエレベーター装置において、前記三方枠に、前記シャッターの幅方向両側を上下方向に案内する案内手段を着脱可能に取付けたことを特徴とするエレベーター装置。
【請求項２】
昇降路と乗場間を連通し上枠及び両縦枠からなる三方枠によって区画された乗降口と、この乗降口を火災時に塞ぐシャッターを有する防火シャッター装置とを備えたエレベーター装置において、前記三方枠の前記両縦枠の対向部に上下方向に沿う凹溝を夫々形成し、この凹溝内に前記シャッターの幅方向両側を上下方向に案内する案内手段を着脱可能に取付けことを特徴とするエレベーター装置。
【請求項３】
前記三方枠は、第１三方枠と第２三方枠を有し、これら第１三方枠と第２三方枠との間に前記凹溝が形成されていることを特徴とする請求項２記載のエレベーター装置。
【請求項４】
前記第１三方枠と第２三方枠とは、前記凹溝部において連結されており、この連結部に前記凹溝の幅を調整する機構が設けられていることを特徴とする請求項３記載のエレベーター装置。
【請求項５】
昇降路と乗場間を連通し上枠及び両縦枠からなる三方枠によって区画された乗降口と、この乗降口を火災時に塞ぐシャッターを有する防火シャッター装置とを備えたエレベーター装置において、前記三方枠の前記両縦枠の対向部に上下方向に沿う格納枠を夫々取付け、この格納枠内に前記シャッターの幅方向両側を上下方向に案内する案内手段を着脱可能に取付けことを特徴とするエレベーター装置。
【請求項６】
昇降路と乗場間を連通し上枠及び両縦枠からなる三方枠によって区画された乗降口と、この乗降口を火災時に塞ぐシャッターを有する防火シャッター装置とを備えたエレベーター装置を据付けるに際し、前記三方枠の前記両縦枠の対向部に上下方向に沿う凹溝を夫々形成し、この三方枠を前記乗降口に取付けた後、前記防火シャッター装置を前記乗降口の近傍に取付けると共に、前記シャッターの幅方向両側を上下方向に案内する案内手段を前記凹溝内に取付けるようにしたことを特徴とするエレベーター装置の据付け方法。
【発明の詳細な説明】
【０００１】
【発明の属する技術分野】
本発明はエレベーター装置に係り、特に、昇降路と乗場間を連通する乗降口に防火シャッター装置を備えたエレベーター装置に関する。
【０００２】
【従来の技術】
従来、昇降路と乗場との間を連通する乗降口を区画する三方枠の乗場側に面して防火シャッター装置を備えたエレベーター装置は、例えば、特開２００１―２７６２４４号公報、特開２００１―２７６２４７号公報に開示されている。これらに開示のエレベーター装置は、乗場ドアの前方を覆うように、乗場側にシャッターを垂下させるものである。
【０００３】
しかし、このエレベーター装置は、乗場側に面して防火シャッター装置を設置する構成のために、乗場ドアの乗場側にシャッターの案内手段を据付けるための特別な設置スペースが必要になる。
【０００４】
乗場ドアの乗場側にシャッターの案内手段用に特別な設置スペースを必要としない構成として、三方枠部分にシャッターの案内手段を設けるエレベーター装置が提案されている（特開昭６１−２３５３８８号公報）。
【０００５】
【発明が解決しようとする課題】
上記従来の技術によれば、シャッターの案内手段と乗降口を区画する三方枠とが一体的に構成されているので、エレベーター装置の施工、特に、三方枠近傍の仕上げ作業の施工と同時にシャッターの案内手段の据付けを行わねばならない。そのために、エレベーター装置の据付け作業と、防火シャッター装置の据付け作業との作業の切り分けができないという問題がある。例えば、エレベーター装置の据付け作業を急いで行いたい場合でも、急ぐ必要のない防火シャッター装置の据付までも行うこととなり、それだけ作業を遅らせてしまうという問題があった。
【０００６】
本発明の目的は、乗場ドアの乗場側に多大のスペースを必要とせず、しかもエレベーター装置の据付けと防火シャッター装置の据付けとの切り分けを可能としたエレベーター装置を提供することにある。
【０００７】
【課題を解決するための手段】
上記目的を達成するために本発明は、乗降口を区画する三方枠に、シャッターの幅方向両側を上下方向に案内する案内手段を着脱可能に取付けたのである。
【０００８】
上記構成によれば、シャッターの幅方向両側を上下方向に案内する案内手段は、三方枠の据付け施工後に、この三方枠に取付ければよい。その結果、エレベーター装置の据付け作業とシャッター装置の据付け作業との切り分けができ、エレベーター装置の据付け作業をスムーズに行うことができる。
【０００９】
しかも、シャッターの案内手段は、三方枠に対して取付けられるので、乗場ドアの乗場側にシャッターの案内手段用に特別な設置スペースを必要とすることはない。
【００１０】
【発明の実施の形態】
以下本発明によるエレベーター装置の第１の実施の形態を図１〜図３に基づいて説明する。
【００１１】
一般的に、エレベーター装置は、建屋１に垂直に形成された昇降路２と、この昇降路２内を昇降する乗かご３と、前記昇降路２を区画する建屋１の建屋壁１Ｗを貫通して前記昇降路２と各階床の乗場４とを連通する乗降口５と、この乗降口５を開閉し前記乗かご３のかごドア３Ｄに対向する乗場ドア６とを備えている。
【００１２】
前記乗かご３は、ロープ７によって吊り下げられており、このロープ７を図示しない巻上機の綱車に巻掛けて駆動することにより前記乗かご３を昇降させている。
【００１３】
前記乗場ドア６は、前記乗降口５を昇降路２側から塞ぐように、その上端にドアハンガ８を備えている。このドアハンガ８に軸支されたドアローラを水平に配置されたドアレール９上を転動させることにより、前記乗場ドア６をドアレール９方向に移動させている。
【００１４】
一方、ドアレール９は、水平に配置された強度部材１０に支持され、この強度部材１０は、建屋１の建屋壁１Ｗや梁または後述する防火シャッター装置に固定されている。
【００１５】
また、前記乗場ドア６の下端は、乗場４の床と連なる乗降口５の昇降路２側端に設けられた敷居１１に案内されており、乗場ドア６は、これらドアレール９と敷居１１とに案内され、乗かご３側から動力を得て横方向に開閉する。
【００１６】
前記乗場ドア６の乗場４側で前記乗降口５の開口周縁には、乗降口を区画し、ドア閉じの時、乗場ドア６の上部と左右両側を被う三方枠１２が設けられている。
【００１７】
この三方枠１２は、乗場ドア６の乗場４側直前に位置する第１三方枠１３と、乗場ドア６から離れた乗場４側に位置する第２三方枠１４とを有する。
【００１８】
これら第１三方枠１３と第２三方枠１４は、その連結部に凹溝１５が形成されるように互いにＬ字状に折り曲げられており、これらＬ字状の自由端１３ａ，１４ａをボルト１６等の締結部材で連結することにより、凹溝１５を形成している。
【００１９】
また、第１三方枠１３と第２三方枠１４との自由端１３ａ，１４ａは凹溝１５の溝幅を調整できるよう摺動するようになっており、溝幅が確定した後、前記ボルト１６によって固定される。
【００２０】
これら第１三方枠１３や第２三方枠１４は、鉄筋１７を介して建屋壁１Ｗに固定され、仕上げに枠体１８やモルタル１９、さらに、仕上壁２０を施している。
【００２１】
乗場４側の上方には天井２１が張られ、その裏側には図示しないが電線や通信線、換気や空気調節用のダクト、水道管やガス管、さらには天井照明器具が配設されている。
【００２２】
さらに、火災時に前記乗降口５を乗場ドア６の乗場４側から塞ぎ、乗降口５と昇降路２間に煙の流通がないように、防火シャッター装置３０が設けられている。この防火シャッター装置３０は、通常時には昇降路２に面した前記乗降口５の上方に巻き取られる例えばシリカクロス材の耐火シート等からなるシャッター３１を有している。そして防火シャッター装置３０は、このシャッター３１を巻付けておく巻付け軸３２と、この巻付け軸３２の延長上に設けられるモータ３３と、これらを収納するシャッター収納部３４とを備えている。
【００２３】
このシャッター収納部３４の下側には、下方に延在し前記シャッター３１をその幅方向両側で案内する左右一対の案内手段３５とを備えている。シャッター収納部３４は、前記案内手段３５側に開口部（図示せず）を有し、この開口部から前記シャッター３１の端を引き出している。前記開口部から引き出された前記シャッター３１の下端部にはおもり３６が取付けられている。
【００２４】
上述のようにシャッター３１の幅方向両側を案内する左右の案内手段３５は、前記三方枠１２に設けた凹溝１５内に装着される。案内手段３５を前記凹溝１５へ押し込むことにより、弾性力を利用した周知の保持機構等により、案内手段３５の前記凹溝１５への装着は維持され、弾性力を越える力で引っ張ることによって前記凹溝１５から案内手段３５を取り外すことができる。
【００２５】
ところで、前記案内手段３５は、前記シャッター３１との隙間との機密性を高めて多量の煙の流通がないように、その全高に亘って、例えば蟻溝のように、入口部は狭い開口部３７と、その奥に広い案内空間３８を有している。そして、シャッター３１の端部は、前記案内空間部３８に設けられた案内具３９によって案内されている。
【００２６】
上述のように構成された防火シャッター装置３０は、そのシャッター収納部３４をブラケット等の固定具２２を介して昇降路２に面した建築壁１Ｗに固定している。このように固定されたシャッター収納部３４に、前記強度部材１０を連結して、前記補強部材１０に作用する重量の一部あるいは全部を負担するようにしている。
【００２７】
防火シャッター装置３０のシャッター収納部３４は、乗場ドア装置（前記三方枠１２，ドアレール９，強度部材１０）に対して位置関係を正確にして一体化しておくことにより、防火シャッター装置３０を乗場ドア装置と共に容易に建屋１側に取付けることができる。その結果、一体化した構成部品のいずれか一方の芯出しをして建築壁１Ｗ等の固定部分に取付けることにより、残る構成部品の芯出しを省略することができる。
【００２８】
上記構成において、三方枠１２の施工に当たり、まず第１三方枠１３と第２三方枠１４を、案内手段３５の幅にあった凹溝１５を形成するように、調整してボルト１６により連結する。
【００２９】
その後鉄筋１７を介して第１三方枠１３と第２三方枠１４を建屋壁１Ｗに固定し、次いで枠体１８を固定して空間にモルタル１９を埋め、この後、仕上壁２０を施工し三方枠の作業を終了する。
【００３０】
そして、防火シャッター装置３０の施工時に前記案内手段３５を前記凹溝１５に嵌合すればよい。即ち、エレベーター装置の据付け施工に欠かせない三方枠１２の施工と、防火シャッター装置３０の案内手段３５の据付け施工とは切り分けて作業を行うことができ、エレベーター装置の据付け施工を独自に先行して行うことができる。
【００３１】
尚、本実施の形態では、シャッター収納枠３４で強度部材１０を支持する構成であるため、乗場ドア６の施工前に、防火シャッター装置３０は据付けられることとなる。
【００３２】
ところで、乗場ドア装置となる強度部材１０は、必ずしもシャッター収納枠３４に支持させる必要はない。即ち、シャッター収納枠３４とは別個に強度部材１０を建築壁１Ｗ等に独自に支持させるようにすれば、エレベーター装置と防火シャッター装置３０の案内手段３５との据付け施工を独自に行うことができる。
【００３３】
図４は本発明によるエレベーター装置の第２の実施の形態を示す図３相当図で、図３と同一物は同一符号で示したので、再度の詳細な説明は省略する。図３と異なるのは、三方枠１２の形状である。
【００３４】
三方枠１２が第１三方枠１３Ａと第２三方枠１４Ａとの２つの三方枠で構成されている点は同じである。ただ、第１三方枠１３Ａと第２三方枠１４Ａとの間に凹溝を形成する断面コ字状の格納枠４０をボルト４１により連結した点で異なる。その後の鉄筋１６による建屋壁１Ｗへの固定、枠体１８の固定、モルタル１９の充填、仕上壁２０を施工及びシャッター３１の案内手段３５の格納枠４０への着脱は、図３と同じである。
【００３５】
即ち、第２に実施の形態では、格納枠４０が前記凹溝１５に相当するものである。第２の実施の形態においても、エレベーター装置の施工に欠かせない三方枠の施工と防火シャッター装置３０の案内手段３５の施工とは切り分けて作業を行うことができ、エレベーター装置の施工を独自に先行して行うことができる。
【００３６】
上記各実施の形態では、三方枠１２を２分割構成として凹溝１５格納枠４０を設ける例を示したが、一体型の三方枠１２に凹部を形成しておき、この凹部に案内手段３５あるいは格納枠４０を着脱可能に取付けるようにしてもよい。
【００３７】
また、上記各実施の形態は、防火シャッター装置３０のシャッター収納部３４を昇降路側に面した乗降口５の上方に設置した例を示した。しかし、図５に示す第３の実施の形態のように、建築壁１Ｗの乗場４側に防火シャッター装置５０のシャッター収納部５１やモータ５２を設け、これらを三方枠１２の上方に設けた幕板６０や天井６１で覆うように構成しても上記各実施の形態と同様の効果を得ることができる。
【００３８】
【発明の効果】
このように本発明によれば、乗場ドアの乗場側に多大のスペースを必要とせず、しかもエレベーター装置の据付けと防火シャッター装置の据付けとの切り分けを可能としたエレベーター装置を得ることができる。
【図面の簡単な説明】
【図１】本発明になるエレベーター装置の乗降口近傍の第１の実施の形態を示す縦断概略側面図。
【図２】図１の乗場ドアを昇降路側から見た背面図。
【図３】図２のＩＩＩ−ＩＩＩ線に沿う断面図。
【図４】第２の実施の形態を示す図３相当図。
【図５】第３の実施の形態を示す図１相当図。
【符号の説明】
１…建屋、２…昇降路、３…乗かご、４…乗場、５…乗降口、６…乗場ドア、１２…三方枠、１３，１３Ａ…第１三方枠、１４，１４Ａ…第２三方枠、１５…凹溝、３０，５０…防火シャッター装置、３１…シャッター、３４，５１…シャッター収納部、３５…案内手段、４０…格納枠。
【図１】
2004083157.tif 000003
【図２】
2004083157.tif 000004
【図３】
2004083157.tif 000005
【図４】
2004083157.tif 000006
【図５】
2004083157.tif 000007